(57)【特許請求の範囲】
【請求項１】
軸線方向に延びるとともに互いに１８０°離れた一対の縦節と、これら縦節間の２つの領域において周方向に延びるとともに軸線方向に等間隔をおいて形成された多数の横節と、を有する異形棒鋼の鋼種を表示する方法であって、
上記横節の上記軸線に対する角度及び／又は形状を、異形棒鋼の鋼種に対応して異ならせ、これにより鋼種を表示することを特徴とする異形棒鋼の鋼種表示方法。
【請求項２】
上記横節は、降伏点が比較的低い鋼種の異形棒鋼の場合には上記軸線と直交させ、降伏点が比較的高い鋼種の異形棒鋼の場合には上記軸線に対して傾斜させることを特徴とする請求項１に記載の異形棒鋼の鋼種表示方法。
【請求項３】
上記傾斜した横節が複数の鋼種を表す場合において、これら複数の鋼種のうち降伏点が高い鋼種を表す横節の断面積をその延び方向両端に向かって徐々に減少させ、上記複数の鋼種のうちの降伏点が低い鋼種を表す横節の断面積より小さくすることを特徴とする請求項２に記載の異形棒鋼の鋼種表示方法。
【請求項４】
軸線方向に延びるとともに互いに１８０°離れた一対の縦節と、これら縦節間の２つの領域において周方向に延びるとともに軸線方向に等間隔をおいて形成された多数の横節と、を有する異形棒鋼において、
上記横節は、上記軸線に対する角度及び／又は形状が異形棒鋼の鋼種に対応して異なり、これにより鋼種を表示することを特徴とする異形棒鋼。
【請求項５】
さらに、周面の少なくとも１箇所に、径毎に異なる色を呈する径識別マークが付されていることを特徴とする請求項４に記載の異形棒鋼。
【請求項６】
請求項４に記載の異形棒鋼により構成された剪断補強筋において、少なくとも１箇所に径毎に異なる色を呈する径識別マークが付されていることを特徴とする剪断補強筋。
【発明の詳細な説明】
【技術分野】
【０００１】
本発明は、異形棒鋼の鋼種を表示する方法及びこの方法を適用した異形棒鋼、並びにこの異形棒鋼を用いた剪断補強筋に関する。
【背景技術】
【０００２】
建築現場では、配筋場所に応じて径や鋼種（降伏点等の機械的性質）が異なる異形棒鋼が用いられる。特に鋼種については棒鋼を見ても識別できないので、棒鋼の誤配筋を無くすために、鋼種識別マークを鋼棒に付すことがＪＩＳ規格により義務付けられている。具体的には、棒鋼の一方の端面に鋼種毎に異なる色の塗料を塗るか、圧延ロールにより棒鋼の周面に軸線方向に等間隔をおいて鋼種毎に異なる凹又は凸のマークを刻印する。
【０００３】
上述のようにＪＩＳ規格では鋼種識別マークを付することが義務付けられており、これに対応して特許文献１では、圧延ロールにより棒鋼の周面に鋼種識別用のマークを刻印している。特許文献２では、圧延ロールにより棒鋼の周面に鋼種識別マークと径識別マークを刻印している。特許文献３では、鋼種および径を識別する英数字等の記号をインクジェットにより表示している。
【先行技術文献】
【特許文献】
【０００４】
【特許文献１】特開２００７−２９１７６４号
【特許文献２】実用新案登録第３１３１５０３号公報
【特許文献３】特許４２６４４５９号公報
【発明の概要】
【発明が解決しようとする課題】
【０００５】
しかしながら、特許文献１，２に記載されているような圧延ロールにより刻印された鋼種識別マークは、棒鋼の周面の限られた領域において比較的長い間隔毎に形成されているため、施工者が確認に手間取ることがある。
また、特許文献３に記載されている表示方法では、インクジェット印字のためのコスト高となってしまう。
【課題を解決するための手段】
【０００６】
本発明は、上記課題を解決するためになされてものであり、軸線方向に延びるとともに互いに１８０°離れた一対の縦節と、これら縦節間の２つの領域において周方向に延びるとともに軸線方向に等間隔をおいて形成された多数の横節と、を有する異形棒鋼の鋼種を表示する方法であって、上記横節の上記軸線に対する角度及び／又は形状を、異形棒鋼の鋼種に対応して異ならせ、これにより鋼種を表示することを特徴とする。
この方法によれば、異形棒鋼の横節の角度及び／又は形状により、その鋼種を一瞥して明瞭に識別することができる。
【０００７】
好ましくは、上記横節は、降伏点が比較的低い鋼種の異形棒鋼の場合には上記軸線と直交させ、降伏点が比較的高い鋼種の異形棒鋼の場合には上記軸線に対して傾斜させる。
このように横節を傾斜させると、降伏点が比較的高い異形棒鋼を折り曲げても破断等の損傷が生じにくい。
【０００８】
好ましくは、上記傾斜した横節が複数の鋼種を表す場合において、これら複数の鋼種のうち降伏点が高い鋼種を表す横節の断面積をその延び方向両端に向かって徐々に減少させ、上記複数の鋼種のうちの降伏点が低い鋼種を表す横節の断面積より小さくする
上記のように横節の横断面を小さくすると、降伏点が高い異形棒鋼を折り曲げても破断等の損傷が生じにくい。
【０００９】
本発明の他の態様では、軸線方向に延びるとともに互いに１８０°離れた一対の縦節と、これら縦節間の２つの領域において周方向に延びるとともに軸線方向に等間隔をおいて形成された多数の横節と、を有する異形棒鋼において、上記横節は、上記軸線に対する角度及び／又は形状が異形棒鋼の鋼種に対応して異なり、これにより鋼種を表示することを特徴とする。
【００１０】
好ましくは、さらに、周面の少なくとも１箇所に、径毎に異なる色を呈する径識別マークが付されている。これによれば、異形棒鋼の径を径識別マークにより明瞭に識別することができる。
さらに他の態様では、上記異形棒鋼により構成された剪断補強筋において、少なくとも１箇所に径毎に異なる色を呈する径識別マークが付されている。これによれば、剪断補強筋を構成する異形棒鋼の径を、径識別マークにより明瞭に識別することができる。
【発明の効果】
【００１１】
本発明によれば、異形棒鋼の鋼種を一瞥して明瞭に識別することができる。
【図面の簡単な説明】
【００１２】
【図１】本発明の一実施態様に係わる剪断補強筋を示す斜視図である。
【図２】上記剪断補強筋を構成する異形棒鋼のうち、降伏点が比較的低い鋼種の異形棒鋼を拡大して示すもので、（Ａ）は軸線方向と直交する方向から見た図で、（Ｂ）は軸線方向から見た図である。
【図３】上記異形棒鋼のうち、降伏点が中レベルの鋼種の異形棒鋼を拡大して示すもので、（Ａ）は軸線方向と直交する方向から見た図で、（Ｂ）は軸線方向から見た図である。
【図４】上記異形棒鋼のうち、降伏点が比較的高い鋼種の異形棒鋼を拡大して示すもので、（Ａ）は軸線方向と直交する方向から見た図で、（Ｂ）は軸線方向から見た図である。
【発明を実施するための形態】
【００１３】
以下、本発明の一実施形態について図面を参照しながら説明する。図１は柱や梁等に用いられる剪断補強筋１を示す。この剪断補強筋１は、異形棒鋼１０を矩形の環状に折り曲げ加工しその両端を溶接することにより得られる。なお、異形棒鋼１０は通常の異形棒鋼と同様に圧延ローラによる圧延で製造される。
本実施形態ではこの異形棒鋼１０として、配筋場所に応じて図２〜図４に示す異形棒鋼１０ａ〜１０ｃ（異形棒鋼群）が用いられている。
【００１４】
まず、異形棒鋼１０ａ〜１０ｃの共通構成について説明する。
図２に示す異形棒鋼１０ａは、その周面に突出形成されるとともに軸線方向に延びる一対の縦節１１ａと、これら縦節１１ａ間の２つの周面領域において突出形成されるとともに周方向に延びる多数の横節１２ａとを有している。一対の縦節１１ａは異形棒鋼１０ａの周方向に１８０°離れて配置されている。多数の横節１２ａは、軸線方向に等間隔をなして配置されている。
【００１５】
図３、図４に示す異形棒鋼１０ｂ、１０ｃも上記異形棒鋼１０ａと同様に、縦節１１ｂ，１１ｃと横節１２ｂ、１２ｃを有している。
異形棒鋼１０ａ〜１０ｃの縦節１１ａ〜１１ｃは略同じ断面形状をなしている。
【００１６】
次に、本発明の特徴部をなす上記異形棒鋼１０ａ〜１０ｃの相違点について説明する。これら異形棒鋼１０ａ〜１０ｃは、鋼種と横節１２ａ〜１２ｃの角度，形状が異なる。
【００１７】
上記異形棒鋼１０ａは降伏点が低いＳＤ２９５〜ＳＤ３９０からなり、その横節１２ａは、図２に示すように異形棒鋼１０ａの軸線と直交し（この軸線と直交する方向から異形棒鋼１０ａを見た場合）、その両端が上記縦節１１ａに連なっている。横節１２ａはその延び方向に沿って同一の断面形状（例えば台形）を有し比較的幅広をなしている。
【００１８】
上記異形棒鋼１０ｂは降伏点が中程度のＳＤ４９０からなり、その横節１２ｂは、図３に示すように異形棒鋼１０ｂの軸線に対して傾斜し、その両端が上記縦節１１ｂに連なっている。横節１２ｂはその延び方向に沿って同一の断面形状（例えば台形）を有し比較的幅広をなしている。
【００１９】
上記異形棒鋼１０ｃは降伏点が高いＳＰＲ７８５からなり、その横節１２ｃは、図４に示すように異形棒鋼１０ｃの軸線に対して傾斜している。この傾斜角度は上記異形棒鋼１０ｃとほぼ同じでもよいし、異なっていてもよい。横節１２ｃは、その延び方向の中央部で幅および高さが最大（例えば異形棒鋼１０ｂの横節１２ｂと同程度）であり、両端に向かって（縦節１１ｃに向かって）、幅および高さが徐々に小さくなり、縦節１１ｃと連ならない。換言すれば、この横節１２ｃの断面積は両端に向かって小さくなり、その平均断面積は異形棒鋼１０ｂの横節１２ｂより小さい。
【００２０】
さらに、上記剪断補強筋１には、径識別マーク５が棒鋼１０の径に対応した色を呈する塗料を塗ることにより形成されている。
【００２１】
径識別マーク５に用いられる色群を例示すると下記の通りである。Ｄ１０（径１０ｍｍ、以下同じ），Ｄ２５，Ｄ３８は「赤」、Ｄ１６，Ｄ２９，Ｄ４１は「黄」、Ｄ１９，Ｄ３２，Ｄ５１は「緑」、Ｄ２２，Ｄ３５は「青」である。
なお、複数の径で同一の色を用いているが、これら径は大きく異なるので、誤って識別することはない。
【００２２】
上述したように、棒鋼１０         ａ〜１０ｃの横節１２ａ〜１２ｃの異形棒鋼１０ａ〜１０ｃの軸線に対する傾き、形状を異ならせることにより、異形棒鋼１０ａ〜１０ｃの鋼種を表示でき、その結果、施工者が建築現場において鋼種を容易かつ明瞭に識別でき、誤配筋を防止することができる。
また、径識別マーク５の色を用いて異形棒鋼１０ａ〜１０ｃの径を表示したので、径の識別をも明瞭に行うことができ、誤配筋を防止することができる。
【００２３】
なお、異形棒鋼１０ｂ、１０ｃは異形棒鋼１０ａに較べて降伏点が高く、剪断補強筋１を形成するために折り曲げる際に破断しやすい傾向にあるが、横節１２ｂ，１２ｃが傾斜しているので折損を回避できる。また、異形棒鋼１０ｃは異形棒鋼１０ｂに較べて降伏点が高く、剪断補強筋１を形成するために折り曲げる際に破断しやすい傾向にあるが、横節１２ｃの断面積が小さいので、折損を回避できる。
【００２４】
本発明は、上記実施例に制約されず、種々の態様を採用することができる。
異形棒鋼の鋼種を、横節の角度の相違だけで識別してもよいし、横節の形状の相違だけで識別してもよい。
本発明を剪断補強筋の他に、直線状をなす異形棒鋼や種々の形状に加工された異形棒鋼に適用してもよい。
【産業上の利用可能性】
【００２５】
本発明は、建築等に使用される異形棒鋼の鋼種を識別するために適用することができる。
【符号の説明】
【００２６】
１  剪断補強筋
５  径識別マーク
１０，１０ａ〜１０ｃ  異形棒鋼
１１ａ〜１１ｃ  縦節
１２ａ〜１２ｃ  横節
【図１】
0005439234.tif 000002
【図２】
0005439234.tif 000003
【図３】
0005439234.tif 000004
【図４】
0005439234.tif 000005